(57)【特許請求の範囲】
【請求項１】
内視鏡の処置具挿通チャンネルに挿脱されるシース内に挿通配置された操作ワイヤを軸線方向に進退操作することによって、上記シースの先端に配置された先端作動部材を駆動するようにした内視鏡用処置具の操作ワイヤ連結部であって、上記先端作動部材の板状部に貫通穿設された係合孔に上記操作ワイヤの先端を通して係合させたものにおいて、
上記シースの先端から延出する上記操作ワイヤの先端に、上記係合孔を通過できない大きさの太径部を上記操作ワイヤ自体の先端部分を膨らませて設けると共に、その太径部が納まる大きさの凹部を上記係合孔の一端側に形成し、上記操作ワイヤを上記係合孔に挿通して上記太径部を上記凹部内に納めた状態で、上記係合孔の他端側において上記操作ワイヤを上記シースの先端の方に向けて折り曲げたことを特徴とする内視鏡用処置具の操作ワイヤ連結部。
【請求項２】
上記太径部が、上記操作ワイヤ自体の先端部分を膨らませた状態で硬化させて形成されている請求項１記載の内視鏡用処置具の操作ワイヤ連結部。
【請求項３】
上記太径部が、上記操作ワイヤ自体の先端部分を膨らませた状態で溶融硬化させて形成されている請求項２記載の内視鏡用処置具の操作ワイヤ連結部。
【請求項４】
上記凹部が、上記係合孔の一端側において外方に向かって次第に広がったテーパ孔状に形成されている請求項１、２又は３記載の内視鏡用処置具の操作ワイヤ連結部。
【発明の詳細な説明】
【０００１】
【発明の属する技術分野】
この発明は、内視鏡の処置具挿通チャンネルに挿通されて体腔内における医療処置等を行うために用いられる内視鏡用処置具の操作ワイヤ連結部に関する。
【０００２】
【従来の技術】
内視鏡用処置具の多くは、先端に配置された先端作動部材を手元側から進退操作される操作ワイヤで駆動して動作させるようになっており、例えば内視鏡用生検鉗子等においては、先端作動部材の板状部に貫通穿設された係合孔に操作ワイヤの先端を通して係合させたものがある。
【０００３】
そのような技術を採用しているもののうち、特開平１１−１７８８２９号公報に示されるものでは、操作ワイヤの先端を切れ目のない輪状に形成して、先端作動部材に形成された係合孔に操作ワイヤの輪状部を通してある。
【０００４】
また、欧州特許第４９１８９０号公報に示されるものでは、係合孔８３に通された操作ワイヤ８１を係合孔８３の前後で折り曲げてある。
【０００５】
【発明が解決しようとする課題】
しかし、特開平１１−１７８８２９号公報に示されるものは、操作ワイヤの先端を係合孔に通してから切れ目のない輪状に形成しなければならないので、加工及び組み立て作業が極めて困難であり実用性に欠ける。
【０００６】
また、欧州特許第４９１８９０号公報に示されるものは、操作ワイヤ８１を係合孔８３の前後で単純に折り曲げてあるだけなので、先端作動部材に強い外力が作用したり操作ワイヤ８１に強い牽引力が作用すると、折り曲げ部分が真っ直ぐに伸びて操作ワイヤ８１が係合孔８３から抜け出してしまう場合がある。
【０００７】
そこで本発明は、先端作動部材の板状部に貫通穿設された係合孔に操作ワイヤの先端を通して係合させるようにした内視鏡用処置具の操作ワイヤ連結部において、加工及び組み立てが簡単で実用性が高く、しかも係合状態が外れない十分な強度を得ることができる内視鏡用処置具の操作ワイヤ連結部を提供することを目的とする。
【０００８】
【課題を解決するための手段】
上記の目的を達成するため、本発明の内視鏡用処置具の操作ワイヤ連結部は、内視鏡の処置具挿通チャンネルに挿脱されるシース内に挿通配置された操作ワイヤを軸線方向に進退操作することによって、シースの先端に配置された先端作動部材を駆動するようにした内視鏡用処置具の操作ワイヤ連結部であって、先端作動部材の板状部に貫通穿設された係合孔に操作ワイヤの先端を通して係合させたものにおいて、シースの先端から延出する操作ワイヤの先端に係合孔を通過できない大きさの太径部を設け、操作ワイヤを係合孔に挿通して太径部を係合孔の端部に当接させた状態で係合孔の他端側において操作ワイヤをシースの先端の方に向けて折り曲げたものである。
【０００９】
なお、太径部が、操作ワイヤ自体の先端部分を膨らませた状態で硬化させて形成されていてもよく、その場合、操作ワイヤ自体の先端部分を膨らませた状態で溶融硬化させて形成されていてもよい。
【００１０】
また、太径部が、操作ワイヤの先端部分に球状片を固着させて形成されていてもよく、或いは、操作ワイヤの先端部分に鍔状部材を固着させて形成されていてもよい。
【００１１】
【発明の実施の形態】
図面を参照して本発明の実施例を説明する。
図２は、内視鏡用生検鉗子を示しており、図示されていない内視鏡の処置具挿通チャンネルに挿脱される可撓性のシース１は、例えばステンレス鋼線を一定の径で密着巻きしたコイルパイプによって形成されている。
【００１２】
シース１の内部には、軸線方向に進退自在に操作ワイヤ２が全長にわたって挿通配置されている。操作ワイヤ２としては、例えば複数のステンレス鋼細線を撚り合わせた撚り線が用いられている。
【００１３】
シース１の基端（図２において右方）には、操作ワイヤ２を進退操作させるための図示されていない操作部が連結されており、シース１の先端に連結固着された先端支持部材３には、操作ワイヤ２によって駆動される先端作動部材（鉗子カップ５及びリンク板６）が支持されている。
【００１４】
先端支持部材３には、先端から基端近くにわたるスリ割り３ａが形成されており、その先端付近を横切るように配置された支軸４に鉗子カップ５とリンク板６が回動自在に支持されている。
【００１５】
鉗子カップ５とリンク板６は一体に形成されて二対設けられ、鉗子カップ５は支軸４を中心にして先端支持部材３の前方において嘴状に開閉する。リンク板６は、スリ割り３ａ内に配置されてその後端部近傍に操作ワイヤ２の先端が連結されている。
【００１６】
操作ワイヤ２は、一対のリンク板６の各々に連結されるので二本が一対となって設けられており、二本の操作ワイヤ２が一緒に動作するようにシース１内で二本を撚り合わせてある。ただし、シース１内で別の一本の操作ワイヤに連結する構成をとってもよい。
【００１７】
図１は、一方のリンク板６と操作ワイヤ２の先端部分との連結部を示している。もう一方のリンク板６等は先端支持部材３の軸線を挟んで対称の位置に配置されているが、その図示は省略してある。
【００１８】
リンク板６には、操作ワイヤ２の直径より僅かに大きな径の係合孔７が板面を貫通して穿設されており、係合孔７の外面側の開口端にはテーパ孔状の凹部８が形成されている。
【００１９】
操作ワイヤ２はシース１の先端から延出しており、先端が凹部８内に位置するように係合孔７に通されて、係合孔７の裏側の端部からスリ割り３ａ内に出た位置において、係合孔７の裏面に沿ってシース１の先端の方に向けて略直角に折り曲げられている。
【００２０】
凹部８内に位置する操作ワイヤ２の先端には、係合孔７を通過できない大きさの太径部２０が形成されており、太径部２０は凹部８の底部に開口する係合孔７の端部にほぼ当接している。
【００２１】
太径部２０は、この実施例においては操作ワイヤ２自体の先端部分を膨らませた状態で硬化させて形成されている。具体的には、操作ワイヤ２を形成している撚り線の端部をアーク又はプラズマ等によって溶融して太い球状に溶融硬化させて形成されている。このような溶融は、例えばアルゴンガス等のような不活性ガス中で行うことにより、酸化による操作ワイヤ２の劣化を防止することができる。
【００２２】
このようにして形成された太径部２０は、操作ワイヤ２に他の部品を接続するのではなく、操作ワイヤ２の端部自体によって形成されているので、強い外力が加わっても操作ワイヤ２から外れたりすることがなく、優れた強度を保有する。
【００２３】
このように構成された実施例の内視鏡用処置具の操作ワイヤ連結部は、リンク板６に対して操作ワイヤ２を係合させる構成の加工及び組み立てが簡単なので実用性が高く、しかも太径部２０が係合孔７から抜けない構造なので、操作ワイヤ２の先端がリンク板６から外れない十分な係合強度を得ることができる。
【００２４】
なお、操作ワイヤ２の先端に形成される太径部２０は、操作ワイヤ２の先端部分に金属製の球状片等をロー付け、溶接或いはカシメ等によって固着させて形成してもよい。
【００２５】
図３は、本発明の参考例のリンク板６と操作ワイヤ２の先端部分との連結部を示しており、リンク板６を外面側から薄く切除して、その部分と先端支持部材３のスリ割り３ａの内壁面との間に操作ワイヤ２を配置し、太径部２０をリンク板６の内面側にほぼ当接させたものである。このように構成することにより、鉗子カップ５を開閉動作させる際に、太径部２０がスリ割り３ａの縁部にぶつかるおそれがない。
【００２６】
図４は、本発明の他の参考例のリンク板６と操作ワイヤ２の先端部分との連結部を示しており、太径部２０が、操作ワイヤ２の先端部分に金属製の鍔状部材を固着させて形成されている。
【００２７】
太径部２０を形成する鍔状部材は、係合孔７に緩く嵌挿される筒状部の一端側に係合孔７の径より大きな径の鍔が突設された形状に形成されていて、鍔部分は座繰り状に形成された凹部８内に納まっている。そして、太径部２０を形成する鍔状部材の他端側は、係合孔７の他端側からスリ割り３ａの内方に突出している。
【００２８】
なお、本発明は上記実施例に限定されるものではなく、例えば本発明を内視鏡用生検鉗子以外の各種内視鏡用処置具に適用してもよい。
【００２９】
【発明の効果】
本発明によれば、シースの先端から延出する操作ワイヤの先端に、先端作動部材の板状部に穿設された係合孔を通過できない大きさの太径部を設け、操作ワイヤを係合孔に挿通して太径部を係合孔の端部に当接させた状態で係合孔の他端側において操作ワイヤをシースの先端の方に向けて折り曲げたことにより、操作ワイヤと先端作動部材との係合部の加工及び組み立てが簡単で実用性が高く、しかも係合状態が外れない十分な強度を得ることができる。
【図面の簡単な説明】
【図１】本発明の第１の実施例の内視鏡用生検鉗子の先端部分の平面部分断面図である。
【図２】本発明の第１の実施例の内視鏡用生検鉗子の先端部分の側面部分断面図である。
【図３】  本発明の参考例の内視鏡用生検鉗子の先端部分の平面部分断面図である。
【図４】  本発明の他の参考例の内視鏡用生検鉗子の先端部分の平面部分断面図である。
【符号の説明】
１  シース
２  操作ワイヤ
３  先端支持部材
３ａ  スリ割り
５  鉗子カップ（先端作動部材）
６  リンク板（先端作動部材）
７  係合孔
２０  太径部
【図１】
0003732995.tif 000002
【図２】
0003732995.tif 000003
【図３】
0003732995.tif 000004
【図４】
0003732995.tif 000005